(57)【特許請求の範囲】
【請求項１】
複数枚の原稿を読み取って画像を生成する読取部と、
前記複数枚の原稿のうちの一部の指定頁に対して指定解像度で読み取りするときの読取条件と前記複数枚の原稿の残りの頁に対してデフォルト解像度で読み取りするときのデフォルト読取条件の指定を受付ける指定部と、
前記指定部で受付けた前記読取条件と前記デフォルト読取条件とを読取条件情報として記憶するとともに、過去に記憶された前記読取条件情報を履歴情報として記憶する記憶部と、
前記履歴情報を表示する表示部と、
前記記憶部に記憶された前記読取条件情報を読み出し、前記複数枚の原稿のうちの一部の指定頁に対しては前記指定解像度で読み取らせ、前記複数枚の原稿の残りの頁に対しては前記デフォルト解像度で読み取るよう前記読取部を制御する読取制御部とを備え、
前記読取制御部は、前記表示部に表示された前記指定頁、及び前記指定解像度からなる前記履歴情報の中から指定された一の履歴情報に対応する前記読取条件情報を前記記憶部から読み出し、前記読取部を制御すること
を特徴とする画像処理装置。
【請求項２】
前記複数枚の原稿を１枚毎に分離して搬送する原稿搬送部とを
備えることを特徴とする請求項１記載の画像処理装置。
【請求項３】
前記読取部によって読み取られた画像を媒体に形成する画像形成部とを更に備えること
を特徴とする請求項１又は請求項２記載の画像処理装置。
【発明の詳細な説明】
【技術分野】
【０００１】
本発明は画像処理装置に関するものである。
【背景技術】
【０００２】
原稿上に形成された画像を読み取る読み取り部を備えた画像処理装置には、ＡＣＳ（Ａｕｔｏｍａｔｉｃ  Ｃｏｌｏｒ  Ｓｅｌｅｃｔｉｏｎ）機能を備えるものがある。ＡＣＳ機能とは、読み取り部が読み取った画像がカラー画像であるかモノクロ画像であるかを判別する機能を言う。
【０００３】
特許文献１には、ＡＣＳ機能による判別結果に基づき、カラー画像又はモノクロ画像毎に読み取り解像度を変更して画像を読み取る画像形成装置、画像形成方法、プログラム、及び記録媒体の発明が開示されている。
【０００４】
【特許文献１】特開２００６−３５２７５１号公報
【発明の開示】
【発明が解決しようとする課題】
【０００５】
特許文献１に記載の画像形成装置は、予め操作者によって指定された読み取り解像度に基づいてカラー画像又はモノクロ画像を読み取る。また、特許文献１に記載の画像形成装置は、カラー画像又はモノクロ画像のそれぞれで指定された読み取り解像度のうち、いずれか高い読み取り解像度に合せて画像の読み取り動作を実行する。
【０００６】
ここで、カラー画像を読み取る読み取り解像度が、モノクロ画像の読み取り解像度よりも高い読み取り解像度で操作者により指定されているとする。ＡＣＳ機能が読み取り対象の画像はカラー画像であると判断すると、特許文献１に記載の画像形成装置では、原稿の全ページに対してカラー画像の読み取り解像度を適用する。その結果、特許文献１に記載の画像形成装置においては、モノクロ画像に対してまでカラー画像の読み取り解像度を適用することになる。
【０００７】
このようなモノクロ画像に対するカラー画像の読み取り解像度の適用は、幾つかの問題を引き起こす。例えば、本来ならば低解像度の読み取り解像度が適用されるモノクロ画像に対して高解像度の読み取り解像度が適用されることにより、読み取られたモノクロ画像のデータ容量は増大することになる。このモノクロ画像のデータ容量の増大は画像形成装置のメモリを圧迫する原因となる。また、画像形成装置は、高解像度でモノクロ画像を読み取るために、低解像度でモノクロ画像を読み取る場合に比べて、モノクロ画像の読み取り時間が長くかかるといった問題があった。
【０００８】
本発明は、このような実情に鑑みてなされたものであり、本発明の課題は、操作者が指定したページ毎に読み取り解像度を変更し、カラー画像又はモノクロ画像のそれぞれに適した読み取り解像度で画像を読み取ることが可能な画像処理装置を提供することである。
【課題を解決するための手段】
【０００９】
上記課題を解決するために、本発明にかかる画像処理装置は、複数枚の原稿を読み取って画像を生成する読取部と、複数枚の原稿のうちの一部の指定頁に対して指定解像度で読み取りするときの読取条件と複数枚の原稿の残りの頁に対してデフォルト解像度で読み取りするときのデフォルト読取条件の指定を受付ける指定部と、指定部で受付けた読取条件とデフォルト読取条件とを読取条件情報として記憶するとともに、過去に記憶された読取条件情報を履歴情報として記憶する記憶部と、履歴情報を表示する表示部と、記憶部に記憶された読取条件情報を読み出し、複数枚の原稿のうちの一部の指定頁に対しては指定解像度で読み取らせ、複数枚の原稿の残りの頁に対してはデフォルト解像度で読み取るよう読取部を制御する読取制御部とを備え、読取制御部は、表示部に表示された指定頁、及び指定解像度からなる履歴情報の中から指定された一の履歴情報に対応する読取条件情報を記憶部から読み出し、読取部を制御することを特徴とする。
【００１０】
本発明の画像処理装置は、読み取り部が読み取る画像に対して適用する読み取り解像度を１ページ毎に受付ける指定部を備える。指定部で受付けた読み取り解像度は読み取り解像度情報として記憶部に記憶される。読み取り部が画像を読み取る際に、制御部は記憶部に記憶されている１ページ毎の読み取り解像度情報を呼び出し、呼び出した読み取り解像度情報に基づいて読み取り部を制御する。
【発明の効果】
【００１１】
本発明の画像処理装置においては、操作者は原稿の一ページ毎に読み取り解像度を指定することができる。画像処理装置の制御部は、操作者がページ毎に指定した読み取り解像度に基づいて読み取り部を制御する。したがって、本発明にかかる画像処理装置によれば、操作者が指定したページ毎に読み取り解像度を変更し、カラー画像又はモノクロ画像のそれぞれに適した読み取り解像度で画像を読み取ることが可能であるため、メモリの圧迫、又は画像の読み取り時間の延滞等の問題を解決することができる。
【発明を実施するための最良の形態】
【００１２】
以下、本発明にかかる画像処理装置について図面を参照して詳細に説明する。本実施例では、画像処理装置として、ＭＦＰ（ＭｕｌｔｉＦｕｎｃｔｉｏｎ  Ｐｅｒｉｐｈｅｒａｌ）を例として説明する。
【００１３】
（第１の実施例）
図１は、ＭＦＰ１００の装置外観図である。
ＭＦＰ１００は、原稿上の画像を読み取るスキャナ部１と、操作者による読み取り解像度等の指定を受付ける操作部５と、スキャナ部１が読み取った画像を用紙に印刷するプリンタ部９とが一体化した複合装置である。
【００１４】
このようなＭＦＰ１００は、スキャナ部１とプリンタ部９とを協調動作させることによってコピー動作を行うことができる。ＭＦＰ１００によるコピー動作は、まず、操作者がコピーする原稿１９をスキャナ部１にセットし、操作部５を介して読み取り解像度等の指定情報を入力するか、あるいは逆に、操作者が操作部５を介して読み取り解像度等の指定情報を入力し、コピーする原稿１９をスキャナ部１にセットすることから開始する。次に、読み取り解像度等の指定を受付けた操作部５の指示に基づいてスキャナ部１は、原稿１９上の画像を読み取る。最後に、プリンタ部９がスキャナ部１で読み取った画像データに基づく画像を用紙に印刷することでＭＦＰ１００によるコピー動作は完結する。
【００１５】
このような構成を有するＭＦＰ１００のスキャナ部１について、図２、及び図３を用いて説明する。
【００１６】
図２は、スキャナ部１の側面断面図である。
スキャナ部１は、原稿１９を設置する用紙トレイ１０と、原稿１９を搬送するとともに原稿１９上の画像を読み取る読み取り部２としてのＡＤＦ(Ａｕｔｏ  Ｄｏｃｕｍｅｎｔ  Ｆｅｅｄｅｒ)ユニット２０と、原稿台１６に載置した原稿１９上の画像を読み取る、他の読み取り部２としてのＦＢ（Ｆｌａｔ  Ｂｅｄ）ユニット２１とを備える。
【００１７】
複数ページからなる原稿１９を１ページ毎に分離搬送するＡＤＦユニット２０は、用紙トレイ１０にセットされた原稿１９の残量枚数を検出する残用紙センサ１１と、原稿１９をＡＤＦユニット２０内に取り込むためのピックアップローラ１２と、ピックアップローラ１２により取り込まれた原稿１９上の画像を読み取るＡＤＦ用読み取りユニット１３と、原稿１９をＡＤＦユニット２０の外に排出する排出ローラ１４と、排出ローラ１４により排出された原稿１９の後端位置を検出する用紙位置センサ１５とを備える。
【００１８】
残用紙センサ１１は、用紙トレイ１０にセットされた原稿１９の残量枚数を検出する。原稿１９を検出した残用紙センサ１１は、スキャナ主制御部４に対して原稿１９が残存する旨を通知する。残用紙センサ１１からの通知を受けたスキャナ主制御部４は、図示しない駆動モータに対してピックアップローラ１２及び排出ローラ１４を駆動するよう指示を供給する。駆動モータにより駆動力が伝達されたピックアップローラ１２は回転を開始し、原稿１９をＡＤＦユニット２０内に取り込む。
【００１９】
ＡＤＦ用読み取りユニット１３は、図示しない光源、ＣＣＤ（Ｃｈａｒｇｅ  Ｃｏｕｐｌｅｄ  Ｄｅｖｉｃｅ）イメージセンサ、及びレンズ等を備える。光源から照射された光は原稿１９上で反射される。ＣＣＤイメージセンサは、原稿１９上で反射された光の反射光量を測定することにより、原稿１９上の画像を読み取る。また、ＡＤＦ用読み取りユニット１３は、ピックアップローラ１２によりＡＤＦユニット２０内に取り込まれた原稿１９上の画像を読み取る。画像が読み取られた原稿１９は排出ローラ１４によりＡＤＦユニット２０の外に排出される。用紙位置センサ１５が原稿１９の後端を検出すると、ピックアップローラ１２は次の用紙の取り込みを開始する。
【００２０】
一方、ＦＢユニット２１は、原稿１９を載置する原稿台１６と、原稿１９上の画像を読み取るＦＢ用読み取りユニット１７と、ＦＢ用読み取りユニット１７を原稿１９に対して副走査方向に搬送するＦＢ用搬送ユニット１８とを備える。
【００２１】
ＦＢ用読み取りユニット１７は、ＡＤＦ用読み取りユニット１３と同様に、図示しない光源、ＣＣＤイメージセンサ、及びレンズ等を備える。光源から照射された光は原稿１９上で反射される。ＣＣＤイメージセンサは、原稿１９上で反射された光の反射光量を測定することにより、原稿１９上の画像を読み取る。また、ＦＢ読み取りユニット１７は、ＦＢ用搬送ユニット１８の駆動により原稿１９に対して副走査方向に移動する。ＦＢ読み取りユニット１７は、原稿１９に対して副走査方向に移動しながら原稿１９上の画像を読み取る。
【００２２】
図３は、スキャナ部１の要部構成を説明するブロック図である。
スキャナ部１は、原稿１９上の画像を読み取る読み取り部２と、読み取り部２を制御する読み取り制御部３と、読み取り制御部３を制御し、さらにスキャナ部１全体を制御するスキャナ主制御部４と、メモリ７に記憶されたページ毎の読み取り解像度情報を呼び出し、スキャナ主制御部４に読み取り解像度情報を供給する解像度指定制御部６と、読み取り部２で読み取った画像に基づく画像データ及びページ毎の読み取り解像度情報を記憶するメモリ７と、プリンタ部９とのインタフェースとしてのＩＦ部８とを備える。
【００２３】
読み取り部２は、上述したＡＤＦ用読み取りユニット１３及びＦＢ用読み取りユニット１７に対応するものであり、指定された読み取り解像度に基づいて原稿１９上の画像を読み取る。
【００２４】
カラー画像に適用される読み取り解像度、つまり高解像度で画像を読み取る場合、操作者により指定された読み取り解像度がそのまま適用される。一方、モノクロ画像に適用される読み取り解像度、つまり低解像度で画像を読み取る場合、読み取り部２は、原稿１９の主走査方向において奇数番目、若しくは偶数番目の画素を読み取るか、或いは原稿１９の副走査方向における読み取りラインを一つおきに読み取る。このような読み取り画素の間引き動作により、読み取り部２は低解像度による画像の読み取りを実現する。
【００２５】
読み取り制御部３は、スキャナ主制御４により指定された読み取り解像度に基づいて読み取り部２をページ毎に制御する制御部である。
【００２６】
スキャナ主制御部４は、操作部５が受付けた読み取り解像度等の指定情報を受け取り、該指定情報を読み取り解像度情報としてメモリ７に記憶させる。また、スキャナ主制御部４は、解像度指定制御部６に対してメモリ７に記憶された読み取り解像度情報を呼び出すように指示を供給し、解像度指定制御部６が呼び出した読み取り解像度情報に基づいて読み取り制御部３を制御する。さらに、スキャナ主制御部４は、読み取り部２が読み取った画像を画像データとしてメモリ７に記憶させる。さらにまた、スキャナ主制御部４は、プリンタ部９が画像を用紙に印刷する場合にＩＦ部８に対して画像データを送信するよう指示を供給する。
【００２７】
解像度指定制御部６は、スキャナ主制御部４の指示に基づいてメモリ７に記憶されている読み取り解像度情報を呼び出す。解像度指定制御部６により呼び出された読み取り解像度情報は、スキャナ主制御部４に送られる。
【００２８】
メモリ７は、フラッシュメモリ、ＵＶ−ＥＰＲＯＭ(Ｕｌｔｒａ−Ｖｉｏｌｅｔ  Ｅｒａｓａｂｌｅ  Ｐｒｏｇｒａｍｍａｂｌｅ  Ｒｅａｄ  Ｏｎｌｙ  Ｍｅｍｏｒｙ：紫外消去型ＲＯＭ)、及びＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリから構成され、読み取り部２が読み取った画像に基づく画像データ及び前述した読み取り解像度情報を記憶する。
【００２９】
ＩＦ部８は、スキャナ主制御部４とプリンタ部９とのインタフェースであり、スキャナ主制御部４からの指示により画像データをプリンタ部９に送る。プリンタ部９に送られた画像データは印刷データに変換されて、用紙に印刷される。
【００３０】
以上のような構成とすることにより、操作者による操作部５を介して指定された読み取り解像度等の指定情報に基づいて、スキャナ部１は原稿１９上の画像を読み取ることが可能となる。さらに、スキャナ部１により読み取られた画像は画像データとしてプリンタ部９に送られ、画像データを受け取ったプリンタ部９は、画像データに基づいた画像を用紙に印刷する。
【００３１】
次に、操作者による読み取り解像度等の指定の受付け、及び受付けた指定情報をスキャナ主制御部４に送る操作部５について説明する。
【００３２】
図４は、操作者による読み取り解像度の指定を受付ける操作部５の構成の一例を説明する図である。
操作部５は、操作者により指定される各種指定項目又は操作者により指定された指定情報を表示する液晶ディスプレイ又はＬＥＤ(Ｌｉｇｈｔ  Ｅｍｉｔｔｉｎｇ  Ｄｉｏｄｅ)ディスプレイ等から構成される表示部３０と、操作者によるメニュー又は各種モードの切り替えを受付ける操作ボタン３１と、操作者による指定の決定を受付ける操作ボタン３２と、操作者による指定の取り消しを受付ける操作ボタン３３と、数字、アルファベット、又は記号の入力を受付ける操作ボタン３４〜４３と、コピーの実行指示を受付ける操作ボタン４４とを備える。また、操作ボタン３４、３８、４０、及び４２は、表示部３０に表示されるカーソルの移動を受付ける操作ボタンである。
【００３３】
操作者が各操作ボタンを使用して読み取り解像度を指定する際に、操作部５が表示部３０に表示する表示画面の一例を説明したのが図５及び図６である。
【００３４】
図５の表示画面（ａ）は、ＭＦＰ１００の待機時における表示画面の一例である。表示画面（ａ）は、「ファイル送信設定」、「印刷設定」、「宛先登録」、及び「ページ解像度指定」の項目を備える。「ファイル送信設定」は、ＡＤＦ用読み取りユニット１３で読み取った画像に基づく画像データが電子メールに添付して送信される際に操作者により選択される項目である。
【００３５】
「印刷設定」は、ＡＤＦ用読み取りユニット１３で読み取った画像に基づく画像データを所定の用紙に印刷する際に操作者により選択される項目である。
【００３６】
「宛先登録」は、ＡＤＦ用読み取りユニット１３で読み取った画像に基づく画像データを電子メールに添付して送信する際の送信先の宛先を登録するために操作者により選択される項目である。
【００３７】
「ページ解像度指定」は、読み取り解像度を指定する際に操作者により選択される項目である。
【００３８】
このような表示画面（ａ）は、操作者が操作ボタン３４、３８、４０、及び４２を用いて「ファイル送信設定」、「印刷設定」、「宛先登録」、及び「ページ解像度指定」の項目を任意に選択するためのユーザインタフェースであり、ＭＦＰ１００の電源投入時等の初期状態においては、この表示画面（ａ）が表示される。
【００３９】
操作者が操作ボタン３４、３８、４０、及び４２を操作し、表示画面（ａ）中の「ページ解像度指定」を選択すると、図５の表示画面（ｂ）が表示される。通常解像度ボックス５１は、操作者により指定されたページ以外のページの読み取り解像度の指定を受付ける。指定ページボックス５２は、操作者により指定された読み取り解像度が適用されるページの指定を受付ける。指定解像度ボックス５３は、操作者による読み取り解像度の指定を受付ける。指定状況表示部５４は、操作者による指定状況を表示する。
【００４０】
指定解像度ボックス５３に読み取り解像度を指定する場合は、操作者は、図５の表示画面（ｃ）に示すようなプルダウンメニューに表示される読み取り解像度の中から所望の読み取り解像度を選択することにより指定する。指定解像度ボックス５３では、ＡＤＦ用読み取りユニット１３又はＦＢ用読み取りユニット１７が実行可能な読み取り解像度がプルダウンメニューとして表示される。
【００４１】
操作者により指定ページボックス５２及び指定解像度ボックス５３に指定内容が入力されると、図６  （ｄ）に示すように、その指定状況は指定状況表示部５４に表示される。
【００４２】
読み取り解像度等の指定を終了する際は、操作者は、図６（ｅ）に示すように、入力用カーソルを「指定完了」にセットする。
【００４３】
次に、上述した表示画面を使用して操作者が読み取り解像度を指定する際の指定動作について、図７のフローチャートを使用して詳細に説明する。なお、操作者による読み取り解像度の指定動作を説明する上で、ＭＦＰ１００は、図８に示す４ページからなるドキュメントを連続して読み取るものとする。それぞれのページは、１ページ目：テキストドキュメント、２ページ目：テキストドキュメント、３ページ目：写真ドキュメント、４ページ目：テキストドキュメントとする。また、ＭＦＰ１００のＡＤＦユニット２０は、１ページ目、２ページ目、４ページ目のテキストドキュメントをモノクロ画像として低解像度で読み取り、３ページ目の写真ドキュメントをカラー画像として高解像度で読み取るものとする。
【００４４】
操作者が図５の表示画面（ａ）中の「ページ解像度指定」を選択することによって、図５の表示画面（ｂ）が表示された後、操作者は読み取り解像度を指定する。具体的には、操作者は、通常解像度ボックス５１に通常解像度として、操作ボタン３４〜４３を使用して３００ｄｐｉと入力し、操作ボタン３２を押下する（ステップＳ１）。通常解像度の指定を受付けた操作部５は、通常解像度の指定情報をスキャナ主制御部４に送る。スキャナ主制御部４に送られた通常解像度の指定情報は、スキャナ主制御部４によりメモリ７に記憶される。次に、スキャナ主制御部４は、入力用カーソルを指定ページボックス５２に移動するよう操作部５に対して指示を供給する。
【００４５】
次に、操作者は、ＡＤＦ用読み取りユニット１３が操作者により指定された読み取り解像度を適用し画像を読み取るページとして、３ページ目を意味する「３」を操作ボタン３４〜４３を使用して指定ページボックス５２に入力し、操作ボタン３２を押下する（ステップＳ２）。ページの指定を受付けた操作部５は、ページの指定情報をスキャナ主制御部４に送る。スキャナ主制御部４に送られたページの指定情報は、スキャナ主制御部４によりメモリ７に記憶される。次にスキャナ主制御部４は、入力用カーソルを指定解像度ボックス５３に移動するよう操作部５に対して指示を供給する。
【００４６】
次に、操作者は、指定ページボックス５２で指定したページにおいて、ＡＤＦ用読み取りユニット１３が適用する読み取り解像度を指定する。例えば、操作者は読み取り解像度として６００ｄｐｉを指定する場合、操作者は読み取り解像度として６００ｄｐｉをプルダウンメニューから選択し、操作ボタン３２を押下する（ステップＳ３）。読み取り解像度の指定を受付けた操作部５は、読み取り解像度の指定情報をスキャナ主制御部４に送る。スキャナ主制御部４に送られた読み取り解像度の指定情報は、スキャナ主制御部４によりメモリ７に記憶される。
【００４７】
ページ及び読み取り解像度の指定をさらに続行する場合（ステップＳ４  Ｎｏ）、操作者は、ステップＳ２からの処理を繰り返す。一方、ページ及び読み取り解像度の指定を終了する場合（ステップ  Ｓ４  Ｙｅｓ）、操作者は、入力用カーソルを「指定完了」に合せ、操作ボタン３２を押下する。すると、スキャナ主制御部４は、図６の表示画面（ｅ）の表示を終了し、待機時画面である図５の表示画面（ａ）を表示するよう操作部５に指示を供給する。
【００４８】
なお、通常解像度ボックス５１、指定ページボックス５２、及び指定解像度ボックス５３において、操作者により指定された指定情報は、図９に示すようなテーブル形式の読み取り解像度情報としてメモリ７に記憶される。また、この読み取り解像度情報には、例えば、２０ＸＸ．０１．０１等の読み取り解像度を指定した日付が保存ファイル名として付される。
【００４９】
上述した操作者による読み取り解像度の指定動作を受けて、ＭＦＰ１００が実行するドキュメントの読み取り動作について図１０のフローチャートを用いて説明する。
【００５０】
まず、操作者は操作ボタン４４を押下する。操作者によるドキュメントの読み取り開始指示を受付けた操作部５は、スキャナ主制御部４にドキュメントの読み取り開始指示を供給する。読み取り開始指示を受けたスキャナ主制御部４は、解像度指定制御部６に対してメモリ７に記憶されている読み取り解像度情報を呼び出すよう指示を供給する。読み取り解像度情報の呼び出し指示を受けた解像度指定制御部６は、メモリ７に記憶されている読み取り解像度情報から通常解像度の指定情報を呼び出す。
【００５１】
スキャナ主制御部４は、解像度指定制御部６がメモリ７から呼び出した通常解像度をＡＤＦ用読み取りユニット１３の読み取り解像度として暫定的に設定する（ステップＳ６）。次に、ステップＳ７において、スキャナ主制御部４は、読み取り制御部１３に対してドキュメントの読み取り開始指示を供給する。ドキュメントの読み取り開始指示を受けた読み取り制御部１３は、ＡＤＦ用読み取りユニット１３を制御する。ＡＤＦ用読み取りユニット１３はドキュメントの読み取りを開始する（ステップＳ８）。
【００５２】
また、これと同時に、スキャナ主制御部４は、解像度指定制御部６がメモリ７から呼び出した読み取り解像度情報のページ及び読み取り解像度の指定情報を参照する。スキャナ主制御部４は、ページ及び読み取り解像度の指定情報を参照して、現在ＡＤＦ用読み取りユニット１３が読み取りを開始しているページが通常解像度とは異なる読み取り解像度の指定を受けているか否かを判断する。（ステップＳ９）。
【００５３】
スキャナ主制御部４は、読み取り中のページが読み取り解像度の指定を受けていると判断した場合（ステップＳ９  Ｙｅｓ）、スキャナ主制御部４は、読み取り解像度の指定情報に基づいてページを読み取るよう読み取り制御部１３に対して指示を供給する。指示を受けた読み取り制御部１３は、読み取り解像度の指定情報に基づいてＡＤＦ用読み取りユニット１３を制御する（ステップＳ１０）。
【００５４】
一方、スキャナ主制御部４は、読み取り中のページが読み取り解像度の指定を受けていないと判断した場合（ステップＳ９  Ｎｏ）、スキャナ主制御部４は、通常解像度の指定情報に基づいてページを読み取るよう読み取り制御部１３に対して指示を供給する。指示を受けた読み取り制御部１３は、通常解像度の指定情報に基づいてＡＤＦ用読み取りユニット１３を制御する（ステップＳ１１）。
【００５５】
ステップＳ８〜ステップＳ１０又はステップＳ１１までの処理は、ドキュメントの最後のページに至るまで繰り返して実行される。残用紙センサ１１がドキュメントの最終ページを検出すると、ドキュメントの最終ページを検出した旨をスキャナ主制御部４に伝える。スキャナ主制御部４は、ドキュメントの読み取りが全て終了したと判断して、一連の読み取り動作を終了する（ステップＳ１２）。
【００５６】
本実施例では、ドキュメントの１、２ページ目はテキストドキュメントであり、操作者により読み取り解像度の指定がなされていない。したがって、ＡＤＦ用読み取りユニット１３は、通常解像度の３００ｄｐｉの読み取り解像度を適用してドキュメントの１、２ページの読み取り動作を実行する。ドキュメントの３ページ目は写真ドキュメントであり、操作者により読み取り解像度の指定がなされている。したがって、ＡＤＦ用読み取りユニット１３は、指定解像度の６００ｄｐｉの読み取り解像度を適用してドキュメントの３ページ目の読み取り動作を実行する。さらに、ドキュメントの４ページ目はテキストドキュメントであり、操作者により読み取り解像度の指定がなされていない。したがって、ＡＤＦ用読み取りユニット１３は、通常解像度の３００ｄｐｉの読み取り解像度を適用してドキュメントの４ページ目の読み取り動作を実行する。
【００５７】
ＡＤＦ用読み取りユニット１３で読込まれた画像は、画像データとして、メモリ７に記憶される。メモリ７に記憶される画像データは、例えば図１１に示すようなドキュメントのページ番号、メモリ７上のアドレス、読み取り解像度等の印刷画像データに変換し易いテーブル形式で記憶される。
【００５８】
ＡＤＦ用読み取りユニット１３による読み取り動作が終了した後、スキャナ主制御部４は、メモリ７に記憶されたテーブル形式の画像データをプリンタ部９に送信するようＩＦ部８に対して指示を供給する。画像データを受信したプリンタ部９は、画像データを印刷画像データに変換後、用紙に印刷する。
【００５９】
また、ＡＤＦ用読み取りユニット１３による読み取り動作が終了した後、メモリ７に記憶されたテーブル形式の画像データを所定の宛先に送信するか、又は、この画像データをモバイルメモリに格納して持ち運ぶこともできる。
【００６０】
以上のように、第１の実施例によれば、ＭＦＰ１００は、操作者により指定されたページ毎に読み取り解像度を変更することが可能である。したがって、ＭＦＰ１００によれば、カラー画像又はモノクロ画像のそれぞれに適した読み取り解像度で原稿上の画像を読み取ることが可能となり、メモリの圧迫、又は画像の読み取り時間の延滞等の問題を解決することができる。
【００６１】
（第２の実施例）
第２の実施例にかかる画像処理装置としてのＭＦＰ１００の構成は、第１の実施例にかかるＭＦＰ１００と略同一であるため同一な部分については同一の符号を付して説明は省略する。本実施例にかかるスキャナ主制御部４は、メモリ７に保存された読み取り解像度情報を管理し、操作部５に対して該読み取り解像度情報を履歴情報として表示するよう指示を供給する。又、操作部５は、該読み取り解像度情報を表示し、操作者が利用する読み取り解像度情報の選択を受付ける点が第１の実施例とは異なる。
【００６２】
すなわち、第２の実施例においては、過去にメモリ７に保存された読み取り解像度情報が操作部５により表示部３０に履歴情報として選択可能に表示される。したがって、操作者はページ毎に第１の実施例で説明した読み取り解像度等の指定動作を実行する必要がなく、表示部３０に表示された読み取り解像度情報を選択することにより、読み取り解像度の指定を実行することができる。以下、このようなＭＦＰ１００について具体的に説明する。
【００６３】
第２の実施例において、操作部５が表示部３０に表示する表示画面について図１２及び図１３を用いて説明する。
【００６４】
図１２の表示画面（ａ）に示す画面は、第１の実施例で説明した図５の表示画面（ａ）で説明したＭＦＰ１００の待機時の表示画面と同一であるので、ここでの説明は省略する。
【００６５】
操作者が操作ボタン３４、３８、４０、及び４２を操作し、表示画面（ａ）中の「ページ解像度指定」を選択すると、図１２の表示画面（ｂ）が表示される。「履歴」の項目は、操作者がメモリ７に保存されている読み取り解像度情報を利用する際に選択される。
【００６６】
操作者が操作ボタン３４、３８、４０、及び４２を操作し、図１２の表示画面（ｂ）中の「履歴」の項目を選択すると、図１２の表示画面（ｃ）が表示される。図１２の表示画面（ｃ）には、メモリ７に保存されている読み取り解像度情報のファイル名と、読み取り解像度等の指定情報が表示される。本実施例では、第１の実施例で説明した保存ファイル名：２０ＸＸ．０１．０１がその内容と共に操作部５により表示されている。
【００６７】
操作者が、メモリ７に保存されている他の読み取り解像度情報を順次表示させる際には、入力カーソルを操作ボタン３４、３８、４０、及び４２を用いて「前へ」ボタンあるいは「次へ」ボタンにセットする（図１３  表示画面（ｄ））。このように操作者は、「前へ」あるいは「次へ」ボタンを用いることにより、メモリ７に保存されている他の読み取り解像度情報を順次表示させる。例えば、図１３の表示画面（ｅ）には、履歴情報のＮｏ．２として保存ファイル名：２０ＸＸ．０２．０１が表示されている。
【００６８】
次に、上述した表示画面を使用して操作者が読み取り解像度を指定する際の指定動作について、図１４のフローチャートを使用して詳細に説明する。
【００６９】
操作者が図１２の表示画面（ａ）中の「ページ解像度指定」を選択することによって、図１２の表示画面（ｂ）が表示された後、操作者は読み取り解像度を指定する。具体的には、操作者は、通常解像度ボックス５１に通常解像度として、操作ボタン３４〜４３を使用して３００ｄｐｉと入力し、操作ボタン３２を押下する（ステップＳ１０１）。
【００７０】
次に、操作者はメモリ７に保存されている読み取り解像度情報を利用する場合（ステップＳ１０２  Ｙｅｓ）、操作ボタン３４、３８、４０、又は４２の何れかを使用して「履歴」に入力カーソルを合せて、操作ボタン３２を押下する。履歴情報の利用を受付けた操作部５は、操作者がメモリ７に保存されている読み取り解像度情報を利用する旨をスキャナ主制御部４に伝える。操作者がメモリ７に保存されている読み取り解像度情報を利用する旨を受けたスキャナ主制御部４は、解像度指定制御部６に対してメモリ７に記憶されている読み取り解像度情報を呼び出すよう指示を供給する。解像度指定制御部６が呼び出した読み取り解像度情報は、スキャナ主制御部４を介して操作部５に送られる。これに合せて、スキャナ主制御部４は、操作部５に対して図１２の表示画面（ｃ）を表示するよう指示を供給する。
【００７１】
複数の読み取り解像度情報がメモリ７に保存されている場合、操作者は、図１３の表示画面（ｄ）の「前へ」あるいは「次へ」を押下することにより所望の読み取り解像度情報を表示させる。読み取り解像度情報を選択する場合、操作者は、利用する読み取り解像度情報が表示画面に表示されている状態で、操作ボタン３２を押下する（ステップＳ１０３）。読み取り解像度情報の選択の決定を受付けた操作部５は、操作者により選択された読み取り解像度情報をスキャナ主制御部４に伝える。スキャナ主制御部４は、操作者により選択された読み取り解像度情報に基づいて読み取り制御部３を制御する。読み取り制御部３は、読み取り解像度の指定情報に基づいてＡＤＦ用読み取りユニット１３を制御する。
【００７２】
読み取り解像度情報の選択を終了する場合（ステップＳ１０４  Ｙｅｓ）、操作者は、入力用カーソルを図１２の表示画面（ｂ）に示す「指定完了」に合せ、操作ボタン３２を押下する。すると、スキャン主制御部４は、図１２の表示画面（ｂ）の表示を終了し、待機時画面である図１２の表示画面（ａ）を表示するよう操作部５に指示を供給する。
【００７３】
一方、操作者が読み取り解像度情報を利用しない場合（ステップＳ１０２  Ｎｏ）、操作者は、図７中のステップＳ２〜ステップＳ４と同様にして、第１の実施例で説明した読み取り解像度の指定動作を行う（ステップＳ１０５〜ステップＳ１０７）
【００７４】
上述した操作者による読み取り解像度の指定動作を受けて、第１の実施例におけるＭＦＰ１００と同様に読み取り動作を行うことになる。
【００７５】
ＡＤＦ用読み取りユニット１３による読み取り動作が終了した後、メモリ７に記憶されたテーブル形式の画像データを所定の宛先に送信するか、又は、この画像データをモバイルメモリに格納して持ち運ぶこともできる。
【００７６】
以上のように、第２の実施例のＭＦＰ１００において、操作者はメモリ７に保存されている読み取り解像度情報を利用することができる。したがって、第２の実施例にかかるＭＦＰ１００によれば、第１の実施例における効果に加え、操作者の読み取り解像度の指定にかかる負担を軽減することが可能となる。
【００７７】
本発明にかかる実施例を説明する上で、画像処理装置としてＭＦＰを使用した例を説明したが、本発明は、これに限定されず、本発明の要旨を逸脱しない範囲において適宜変更可能である。
【図面の簡単な説明】
【００７８】
【図１】ＭＦＰ１００の装置外観図である。
【図２】スキャナ部１の側面断面図である。
【図３】スキャナ部１の要部構成を説明するブロック図である。
【図４】操作者による読み取り解像度の指定を受付ける操作部５の構成の一例を説明する図である。
【図５】表示部３０の表示画面の一例を説明する図である。
【図６】表示部３０の表示画面の一例を説明する図である。
【図７】読み取り解像度を指定する際の指定動作を説明するフローチャートである。
【図８】ドキュメントの一例を説明する図である。
【図９】保存ファイル形式の一例を説明する図である。
【図１０】ＭＦＰ１００によるドキュメントの読み取り動作を説明する図である。
【図１１】メモリ７に記憶される画像データの一例を説明する図である。
【図１２】表示部３０の表示画面の一例を説明する図である。
【図１３】表示部３０の表示画面の一例を説明する図である。
【図１４】読み取り解像度を指定する際の指定動作を説明するフローチャートである。
【符号の説明】
【００７９】
１          スキャナ部
２          読み取り部
３          読み取り制御部
４          スキャナ主制御部
５          操作部
６          解像度指定制御部
７          メモリ
８          ＩＦ部
１０        用紙トレイ
１１        残用紙センサ
１２        ピックアップローラ
１３        ＡＤＦ用読み取りユニット
１４        排出ローラ
１５        用紙位置センサ
１７        ＦＢ用読み取りユニット
１８        ＦＢ用搬送ユニット
１９        用紙
２０        ＡＤＦユニット
２１        ＦＢユニット
３０        表示部
３１〜４４  操作ボタン
１００      ＭＦＰ
【図１】
0004551443.tif 000002
【図２】
0004551443.tif 000003
【図３】
0004551443.tif 000004
【図４】
0004551443.tif 000005
【図５】
0004551443.tif 000006
【図６】
0004551443.tif 000007
【図７】
0004551443.tif 000008
【図８】
0004551443.tif 000009
【図９】
0004551443.tif 000010
【図１０】
0004551443.tif 000011
【図１１】
0004551443.tif 000012
【図１２】
0004551443.tif 000013
【図１３】
0004551443.tif 000014
【図１４】
0004551443.tif 000015